(57)【要約】【課題】歌唱者に対して、歌手が付与するオリジナルの歌唱効果を通知する。【解決手段】本発明に係るカラオケ装置は、演奏情報を演奏手段に演奏させる演奏処理と、演奏処理の進行に同期して、歌詞情報で規定される歌詞文字を表示手段に表示させるとともに、オリジナル歌唱効果付与情報で規定されるオリジナル歌唱効果区間を、表示されている歌詞文字に対応した位置に表示する表示処理と、を実行可能とすることを特徴とする。【選択図】図６
2015194560.tif 000002
【特許請求の範囲】
【請求項１】
記憶手段と、演奏手段と、制御手段と、を備えるカラオケ装置において、
前記記憶手段は、演奏情報と、歌詞情報と、オリジナル歌唱効果付与情報を含む楽曲情報を記憶し、
前記歌詞情報は、前記演奏情報の進行に同期した歌詞文字を規定し、
前記オリジナル歌唱効果付与情報は、演奏情報の進行に同期したオリジナル歌唱効果区間を規定し、
前記演奏手段は、前記演奏情報に基づいて演奏を可能とし、
前記制御手段は、演奏処理と、表示処理とを実行可能とし、
前記演奏処理は、前記演奏情報を前記演奏手段に演奏させ、
前記表示処理は、前記演奏処理の進行に同期して、前記歌詞情報で規定される歌詞文字を表示手段に表示させるとともに、前記オリジナル歌唱効果付与情報で規定されるオリジナル歌唱効果区間を、表示されている歌詞文字に対応した位置に表示する
カラオケ装置。
【請求項２】
前記制御手段は、評価処理を実行可能とし、
前記評価処理は、マイクロホンから入力される歌唱音声信号の特徴を抽出し、抽出された特徴がオリジナル歌唱効果区間に対応した歌唱効果であるか否かを判定する
請求項１に記載のカラオケ装置。
【請求項３】
前記表示処理は、前記評価処理において抽出された特徴が、オリジナル歌唱効果区間に対応した歌唱効果である場合、エフェクト表示を行う
請求項２に記載のカラオケ装置。
【請求項４】
前記表示処理は、前記評価処理において、前記演奏情報の歌唱すべきタイミングで抽出された特徴が、オリジナル歌唱効果区間に対応した歌唱効果でない場合、オリジナル歌唱効果区間を消去する
請求項２または請求項３に記載のカラオケ装置。
【請求項５】
前記評価処理は、抽出された特徴に基づいて、オリジナル歌唱効果区間で規定されている歌唱効果以外に歌唱効果を判定した場合、表示されている歌詞文字において、当該特徴が抽出されたタイミングに対応する位置に臨時歌唱効果情報を表示する
請求項２から請求項４の何れか１項に記載のカラオケ装置。
【請求項６】
前記表示処理は、表示されているオリジナル歌唱効果区間の表示形態を前記演奏処理の進行に同期して変更する
請求項１から請求項５の何れか１項に記載のカラオケ装置。
【請求項７】
記憶手段に記憶された楽曲情報を再生し、コンピューター装置にて実行可能なカラオケプログラムにおいて、
前記楽曲情報は、演奏情報と、歌詞情報と、オリジナル歌唱効果付与情報を含み、
前記歌詞情報は、前記演奏情報の進行に同期した歌詞文字を規定し、
前記オリジナル歌唱効果付与情報は、前記演奏情報の進行に同期したオリジナル歌唱効果区間を規定し、
演奏処理と、表示処理を実行可能とし、
前記演奏処理は、前記演奏情報を演奏手段に演奏させ、
前記表示処理は、前記演奏処理の進行に同期して、前記歌詞情報で規定される歌詞文字を表示手段に表示させるとともに、前記オリジナル歌唱効果付与情報で規定されるオリジナル歌唱効果区間を表示されている歌詞文字に対応した位置に表示する
カラオケプログラム。
【発明の詳細な説明】
【技術分野】
【０００１】
本発明は、楽曲の演奏に合わせて歌唱を行うことのできるカラオケ装置及びカラオケプログラムに関するものであり、特に、楽曲の演奏に合わせて歌唱すべき歌詞を表示するカラオケ装置及びカラオケプログラムに関する。
【背景技術】
【０００２】
従来、自動演奏による伴奏に合わせて歌唱を楽しむカラオケ装置が知られている。カラオケ装置では、上手く歌えているか否かを評価するため採点機能（歌唱評価機能）を備えたものが知られている。採点機能は、楽曲情報に含まれる主旋律と、マイクロホンから入力された歌唱音声の音程とを比較して歌唱の巧拙を判断し、歌唱終了時に歌唱者に対して得点として通知する機能である。
【０００３】
また、採点機能には、歌唱中に随時、主旋律と歌唱音声の音程との違いを通知するものも知られている。通称ピアノロール表示と呼ばれる機能であって、主旋律を示すバーを演奏に同期して表示し、それに重ねて歌唱音声の音程を表示することで、歌唱中の各箇所において歌唱の巧拙を判断することができる。また、このようなピアノロール表示による採点機能では、歌唱中に行われたビブラート、しゃくり、フォール等の歌唱効果を判断し、ピアノロール表示上に、アイコンで表示するとともに、採点結果に加点を行うことが行われている。
【０００４】
特許文献１には、歌唱の音高の正確さや、しゃくり、ビブラート、こぶし、ロングトーン等といった特定の歌唱技巧（歌唱効果）の発現回数を検出し、検出結果に基づいて歌唱者の歌唱を得点化するカラオケ装置が開示されている。また、再度、歌唱を行う際には、過去の分析結果に基づく教示情報を併せて表示することが開示されている。このような構成により、過去の歌唱者自身の歌唱における歌唱技巧の良否を把握しながら練習することが可能となっている。
【先行技術文献】
【特許文献】
【０００５】
【特許文献１】特開２０１３−２２２０４２公報
【発明の概要】
【発明が解決しようとする課題】
【０００６】
従来、カラオケ装置の採点は、歌唱効果を評価する場合、歌唱中に随時タイミングで行われた歌唱者による歌唱効果を対象とするものであった。そのため、歌手が歌うオリジナルの歌唱効果とは無関係に評価が行われ、高得点を目指すことを目的として、歌唱中に必要以上に歌唱効果を行うユーザーもみられた。そのため、実際の歌唱と採点結果が乖離することもあった。
【０００７】
本発明は、カラオケの歌唱評価におけるこのような状況を鑑みたものであって、歌手（オリジナル歌手）が楽曲中で付与している歌唱効果に即して歌唱させることを目的としている。また、歌手による歌唱効果に即して歌唱した場合を適切に評価することを目的としている。そして、歌手による歌唱効果に即して歌唱した場合と、カラオケにおける歌唱者（ユーザ）が即興で、歌唱効果を付与した場合とを判別可能とすることを目的としている。
【課題を解決するための手段】
【０００８】
そのため、本発明に係るカラオケ装置は、
記憶手段と、演奏手段と、制御手段と、を備えるカラオケ装置において、
前記記憶手段は、演奏情報と、歌詞情報と、オリジナル歌唱効果付与情報を含む楽曲情報を記憶し、
前記歌詞情報は、前記演奏情報の進行に同期した歌詞文字を規定し、
前記オリジナル歌唱効果付与情報は、演奏情報の進行に同期したオリジナル歌唱効果区間を規定し、
前記演奏手段は、前記演奏情報に基づいて演奏を可能とし、
前記制御手段は、演奏処理と、表示処理とを実行可能とし、
前記演奏処理は、前記演奏情報を前記演奏手段に演奏させ、
前記表示処理は、前記演奏処理の進行に同期して、前記歌詞情報で規定される歌詞文字を表示手段に表示させるとともに、前記オリジナル歌唱効果付与情報で規定されるオリジナル歌唱効果区間を、表示されている歌詞文字に対応した位置に表示する。
【０００９】
さらに本発明に係るカラオケ装置において、
前記制御手段は、評価処理を実行可能とし、
前記評価処理は、マイクロホンから入力される歌唱音声信号の特徴を抽出し、抽出された特徴がオリジナル歌唱効果区間に対応した歌唱効果であるか否かを判定する。
【００１０】
さらに本発明に係るカラオケ装置において、
前記表示処理は、前記評価処理において抽出された特徴が、オリジナル歌唱効果区間に対応した歌唱効果である場合、エフェクト表示を行う。
【００１１】
さらに本発明に係るカラオケ装置において、
前記表示処理は、前記評価処理において、前記演奏情報の歌唱すべきタイミングで抽出された特徴が、オリジナル歌唱効果区間に対応した歌唱効果でない場合、オリジナル歌唱効果区間を消去する。
【００１２】
さらに本発明に係るカラオケ装置において、
前記評価処理は、抽出された特徴に基づいて、オリジナル歌唱効果区間で規定されている歌唱効果以外に歌唱効果を判定した場合、表示されている歌詞文字において、当該特徴が抽出されたタイミングに対応する位置に臨時歌唱効果情報を表示する。
【００１３】
さらに本発明に係るカラオケ装置において、
前記表示処理は、表示されているオリジナル歌唱効果区間の表示形態を前記演奏処理の進行に同期して変更する。
【００１４】
また本発明に係るカラオケプログラムは、
記憶手段に記憶された楽曲情報を再生し、コンピューター装置にて実行可能なカラオケプログラムにおいて、
前記楽曲情報は、演奏情報と、歌詞情報と、オリジナル歌唱効果付与情報を含み、
前記歌詞情報は、前記演奏情報の進行に同期した歌詞文字を規定し、
前記オリジナル歌唱効果付与情報は、前記演奏情報の進行に同期したオリジナル歌唱効果区間を規定し、
演奏処理と、表示処理を実行可能とし、
前記演奏処理は、前記演奏情報を演奏手段に演奏させ、
前記表示処理は、前記演奏処理の進行に同期して、前記歌詞情報で規定される歌詞文字を表示手段に表示させるとともに、前記オリジナル歌唱効果付与情報で規定されるオリジナル歌唱効果区間を表示されている歌詞文字に対応した位置に表示する。
【発明の効果】
【００１５】
本発明のカラオケ装置、または、カラオケプログラムによれば、オリジナル歌唱効果付与情報で規定されるオリジナル歌唱効果区間を、表示されている歌詞文字に対応した位置に表示することで、カラオケを行う歌唱者に対して、歌唱すべき歌詞文字に対応して、付与すべき歌唱効果を通知することが可能となる。
【００１６】
さらに、本発明のカラオケ装置によれば、マイクロホンから入力される歌唱音声信号を抽出し、抽出された特徴がオリジナル歌唱効果区間に対応した歌唱効果であるか否かを判定する評価処理を実行することで、歌手が本来行っている歌唱効果について、ユーザーの歌唱の巧拙を判定することが可能となる。
【００１７】
さらに、本発明のカラオケ装置によれば、評価処理において抽出された特徴が、オリジナル歌唱効果区間に対応した歌唱効果である場合、エフェクト表示を行うことで、当該歌唱効果区間において、適切な歌唱効果を付与できたことをユーザーに確認させることが可能となる。
【００１８】
さらに、本発明のカラオケ装置によれば、オリジナル歌唱効果区間に対応した歌唱効果でない場合、オリジナル歌唱効果区間を消去することで、当該歌唱効果区間において、適切な歌唱効果を付与できなかったことをユーザーに確認させることが可能となる。
【００１９】
さらに、本発明のカラオケ装置によれば、抽出された特徴に基づいて、オリジナル歌唱効果区間で規定されている歌唱効果以外に歌唱効果を判定した場合、表示されている歌詞文字において、当該特徴が抽出されたタイミングに対応する位置に臨時歌唱効果情報を表示することで、ユーザーが即興で付与した歌唱効果（臨時歌唱効果情報）と、歌手が本来行っている歌唱効果とを、歌詞文字上において峻別して表示することが可能となる。
【００２０】
さらに、本発明のカラオケ装置によれば、オリジナル歌唱効果区間の表示形態（色や形状）を演奏処理の進行に同期して変更することで、歌唱中のユーザーに対して、現在行うべき歌唱効果を通知することが可能となる。
【図面の簡単な説明】
【００２１】
【図１】本実施形態に係るカラオケ装置の構成を示す図
【図２】本実施形態に係る楽曲情報のデータ構成を示す図
【図３】本実施形態に係るオリジナル歌唱効果情報のデータ構成を示す図
【図４】本実施形態に係る楽曲再生処理を示すフロー図
【図５】本実施形態に係る表示処理を示すフロー図
【図６】本実施形態に係る歌詞表示画面（色替え前）
【図７】本実施形態に係る歌詞表示画面（色替え途中）
【図８】本実施形態に係る歌詞表示画面（色替え後：エフェクト表示有り）
【図９】本実施形態に係る歌詞表示画面（色替え後：オリジナル歌唱効果表示消去）
【図１０】他の実施形態に係る表示処理を示すフロー図
【図１１】他の実施形態に係る歌詞表示画面（色替え途中）
【発明を実施するための形態】
【００２２】
図１は、本発明の実施形態に係るカラオケ装置の構成を示す図である。本実施形態のカラオケ装置１（「コマンダ」ともいう）は、ＣＰＵ１４、ＲＡＭ１５、ＲＯＭ１６などで構成される制御部を中心として、記憶手段としてのＨＤＤ１３（ハードディスク）、音響処理部１８、映像処理部１１、操作パネル１０、通信部１７などを備えて構成されている。
【００２３】
制御手段を構成するＣＰＵ１４、ＲＡＭ１５、ＲＯＭ１６は、コンピューターにおいて一般的に使用される構成であって、ＣＰＵ１４は、プログラムの実行などに基づく各種制御を、ＲＡＭ１５、ＲＯＭ１６、ＨＤＤ１３などに記憶する各種プログラム、各種データに基づいて行う。
【００２４】
カラオケ装置１における音響処理部１８は、楽曲情報に含まれる演奏情報に基づいて演奏処理を実行する手段である。演奏情報は、ＭＩＤＩ規格に基づいて作成された情報の他、コーラスなどを担当する音声データ等を含んで構成されている。音響処理部１８では、ユーザーが指定した楽曲に対応する演奏情報に基づいて演奏処理を実行することで、所望の楽曲の演奏を行う。また、オーディオ入力端子に接続されたマイクから入力された音声情報と、演奏情報に基づく演奏音をミキシングしてアンプに出力し、アンプに接続されているスピーカーから放音する。なお、マイクロホンから入力される音声情報に対しては、エコーなどの効果を付加することも可能としている。
【００２５】
映像処理部１１は、歌詞表示処理、並びに、背景映像表示処理など、ディスプレイ１２を介してユーザーに視覚的情報を提供する処理を実行する。表示処理は、前述した楽曲情報に含まれる歌詞情報に基づいて歌詞等をディスプレイ１２に表示させる処理であって、演奏処理に同期して実行される。ディスプレイ１２に表示された歌詞は、楽曲の演奏の進行に同期して歌唱すべき箇所が色替え表示され、歌唱者に歌唱箇所を教示する。また、表示処理では、表示される歌詞の背景として、演奏される楽曲に対応した各種映像を表示することで、歌唱雰囲気の盛り上げを行う。そのため、記憶手段としてのＨＤＤ１３には、ＭＰＥＧ形式などによる圧縮が施された背景映像情報が記憶されており、映像処理部１１では、この背景映像情報をデコードすることでディスプレイ１２に映像を表示する。
【００２６】
通信部１７は、ネットワーク接続端子を介してインターネットに接続され、図示しないホスト装置から、新しくリリースされた楽曲情報や、背景映像情報、プログラムなどを受信するとともに、インターネット上に設置されたホスト装置に対して利用履歴などを送信する。近年では、ユーザーの利用履歴、登録楽曲などを含んだユーザー情報をホスト装置で管理し、当該ユーザーの利用時に受信することで、各個ユーザーに即したサービスを提供することも可能である。
【００２７】
カラオケ装置１に対して行われる楽曲指定（予約）など、ユーザーからの各種指示は、操作パネル１０から行うことも可能であるが、通常、店舗内のネットワークに接続されたリモコン装置（図示せず）から行われる。リモコン装置は、タッチパネルなどのインタフェイスを備えており、ユーザーに各種情報を表示提供するとともに、タッチ指示による入力受付を行うことが可能となっている。
【００２８】
記憶手段として機能するＨＤＤ１３には、楽曲を演奏するための楽曲情報の他、ディスプレイに背景を表示するための背景映像情報、そして、カラオケ装置において各種処理を実行するために必要なプログラム等を記憶している。また、前述したホスト装置から各種データを受信することで、記憶している各種情報の追加、更新が実行される。本実施形態で説明する表示処理についても、プログラムとして受信させることで既存のカラオケ装置１に機能追加することが可能である。
【００２９】
図２には、本実施形態に係る楽曲情報のデータ構成が示されている。本実施形態の楽曲情報は、メタ情報と実情報に分類される各種情報を含んで構成されている。メタ情報には、楽曲情報の識別、検索に必要な各種情報が規定されている。本実施形態では、楽曲識別情報、曲名、歌手名、作詞者名、作曲者名を含んで構成されている。一方、楽曲再生処理において使用される実情報は、演奏情報、歌詞情報、オリジナル歌唱効果情報を含んで構成されている。
【００３０】
演奏情報は、ＭＩＤＩ規格に基づいて作成された情報の他、コーラス等を担当する音声データ、評価処理を行うため主旋律に関する音程等を規定した歌唱基準情報等を含んで構成されている。音響処理部１８では、演奏情報に基づいて楽曲の演奏を行い、演奏音信号を形成する。演奏音信号は、マイクロホンから入力される歌唱音声信号とミキシングされて、オーディオ出力端子からアンプへと出力され、アンプにて増幅された信号がスピーカーから放音される。評価処理では、歌唱中、オーディオ入力端子から入力される歌唱音声信号と歌唱基準情報を比較することで得点等が算出される。特に、本実施形態では、歌唱音声信号に基づいて歌唱効果が判定される。本実施形態で判定対称とする歌唱効果は、歌唱音声信号の音程変化に基づいて判定される所定の効果であって、音程を時間軸上で揺らす「ビブラート」、音程を上昇させる「しゃくり」、音程を下降させる「フォール」である。この他、判定対称とする歌唱効果には、声帯を倍振動させることで通常より１オクターブ高い声を出す裏声（ファルセット）等、歌唱音声信号の音程、音量の少なくとも一方によって判定される各種の歌唱効果が考えられる。
【００３１】
歌詞情報は、演奏情報による演奏に同期してディスプレイ１２に歌詞を表示させるためのデータである。本実施形態では、１つのタイミングで１度に表示させるブロックデータを単位として構成されている。演奏情報の演奏に同期して出力されるステップ値に基づいて、指定されたブロックデータを読み出し、表示制御することで、演奏に同期した歌詞表示が実行される。
【００３２】
オリジナル歌唱効果情報は、楽曲を歌唱しているオリジナル歌手が歌唱する際に付与している歌唱効果の付与区間（オリジナル歌唱効果区間）を規定した情報である。図３には、本実施形態に係るオリジナル歌唱効果情報のデータ構成が示されている。本実施形態のオリジナル歌唱効果情報は、演奏の進行上における開始時間、開始終了時間と、効果種別を含んで構成されている。効果種別は、歌唱効果区間において付与すべき歌唱効果の種別を規定した情報である。本実施形態では、ビブラート、しゃくり、フォールの３種類の何れかが規定される。このようなオリジナル歌唱効果情報に基づいて、楽曲の進行上、１または複数のオリジナル歌唱効果区間を規定することで、ディスプレイ１２上に表示される歌詞文字に対応した位置にオリジナル歌唱効果区間を表示することが可能となる。
【００３３】
この他、オリジナル歌唱効果情報には、歌唱効果の掛け具合を含めてもよい。歌唱効果の掛け具合としては、例えば、ビブラートの場合には、ビブラートの周期等を規定しておくことが考えられる。また、しゃくりやフォールの場合には、音程の変化の度合いを規定しておくことが考えられる。歌唱効果の掛け具合については、オリジナル歌手の歌唱効果に基づいて規定される。
【００３４】
図４は、本実施形態に係る楽曲再生処理を示すフロー図である。ユーザーは、操作パネル１０、あるいは、リモコン装置を使用してカラオケ装置１に楽曲を予約する。予約処理によって形成された予約情報（楽曲識別情報を含む）は、ＲＡＭ１５で管理する予約リストに追記される。制御手段としてのＣＰＵ１４は、予約リストを参照し、次に演奏すべき楽曲の有無を確認する（Ｓ１０１）。次に演奏する楽曲がある場合（Ｓ１０１：Ｙｅｓ）には、予約情報中の楽曲識別情報に対応する楽曲情報をＨＤＤ１３から読み出す（Ｓ１０２）。読み出した楽曲情報に基づいて並列処理を開始する（Ｓ１０３）。
【００３５】
本実施形態の並列処理は、演奏情報を音響処理部１８に演奏させる演奏処理（Ｓ１０４）、マイクロホンから入力される歌唱音声信号と演奏情報に基づく歌唱基準情報の対比、あるいは、歌唱音声信号から抽出された特徴に基づいて歌唱効果の付与を判定する評価処理（Ｓ１０５）、歌詞情報及びオリジナル歌唱効果情報に基づく表示処理（Ｓ２００）を含んで構成される。演奏処理の終了が判定される（Ｓ１０６：Ｙｅｓ）と、得点等、評価処理の結果をディスプレイ１２に表示（Ｓ１０７）して、対象楽曲に関する一連の処理を終了する。一方、演奏処理（Ｓ１０４）において、演奏情報の演奏が完了していなかった場合（Ｓ１０６：Ｎｏ）には、演奏情報の演奏が完了するまで、並列処理（Ｓ１０４、Ｓ１０５、Ｓ２００）を繰り返し実行する。
【００３６】
図５は、本実施形態に係る表示処理（Ｓ２００）を示すフロー図である。本実施形態の表示処理は、歌詞情報に基づく歌詞文字の表示に加え、オリジナル歌唱効果情報に基づく歌唱効果区間をディスプレイ１２に表示する。歌詞情報は、ブロック単位に区切られて構成されており、ブロックに対応付けられた位置情報に基づいて、ブロックに対応付けられた表示期間の間、ブロック中に規定された歌詞文字を表示する。歌詞文字の表示期間に対応するオリジナル歌唱効果情報が存在する場合、オリジナル歌唱効果情報の開始時間から終了時間に対応する歌詞文字位置に、オリジナル歌唱効果情報の効果種別に対応した形態で、オリジナル歌唱効果区間を表示する。
【００３７】
図６には、本実施形態に係る歌詞表示画面（色替え前）が示されている。ディスプレイ１２には、歌詞情報に基づいて表示される歌詞文字１２１と、歌詞文字１２１に対応した位置に、効果種別をビブラートとするオリジナル歌唱効果区間１２２が表示されている。本実施形態では、演奏処理の進行に同期して、歌唱すべき歌詞文字の形態（本実施形態では色）を変更することとしている。図６中には、参考のため、歌唱タイミング位置Ａ（実際には、ディスプレイ１２に表示されない）を示しており、これから、歌詞「あの坂道で待っている〜」を歌唱する状態である。オリジナル歌唱効果区間１２２は、歌詞文字１２１中、歌唱効果を付与すべき歌詞文字１２１に対応した位置に効果種別に対応した形態で表示される。
【００３８】
図６の例では、歌詞文字１２１中、「ている〜」に対応した位置に、効果種別（ビブラート）に対応する表示形態（デザイン）で表示されており、歌唱するユーザーは、歌詞文字「ている〜」にビブラートをかけるべきであることを認識することが可能となる。図６では、ビブラートについてオリジナル歌唱効果区間１２２の表示形態を示しているが、しゃくりや、フォール等、他の効果種別の場合には、それに対応する表示形態（デザインや色等）で、オリジナル歌唱効果区間が表示される。
【００３９】
表示された歌詞文字１２１、オリジナル歌唱効果区間１２２に対しては、演奏処理の進行に伴って、その表示形態（本実施形態では色）が変更される（Ｓ２０２）。図７には、本実施形態に係る歌詞表示画面（色替え途中）が示されている。図７中には、歌唱タイミング位置Ａ（実際には、ディスプレイ１２に表示されない）が示されている。歌詞文字１２１中、「る」の位置が歌唱すべき歌詞文字であって、演奏の進行に伴い、左から右へその歌詞文字の色が変更される。本実施形態では、オリジナル歌唱効果区間１２２についても歌詞文字１２１と同様に、表示中の表示形態の変更を行うこととしている。このように、演奏の進行に伴い、オリジナル歌唱効果区間１２２の表示形態を変更することで、ユーザーは、付与すべき歌唱区間の進行を視覚的に確認することが可能となる。
【００４０】
オリジナル歌唱効果情報中に規定する開始時間、終了時間に対応する期間中、マイクロホンから入力される歌唱音声信号に、オリジナル歌唱効果情報中に規定する効果種別に対応する歌唱効果が付与されたか否かが判定される（Ｓ２０３）。この判定は、表示処理と並列して実行される評価処理（Ｓ１０４）の評価結果に基づいて行われる。図７の場合には「ている〜」の歌唱期間中にビブラートが付与されたか否かが判定される。なお、歌唱効果の付与の判定は、開始時間、終了時間に対応する期間中、予め定めた時間長以上、歌唱効果が付与されたことをもって判定する等、適宜判定条件を使用することが可能である。
【００４１】
なお、オリジナル歌唱効果情報には、歌唱効果の掛け具合を規定しておくことも可能であることを先に述べたが、Ｓ２０３の判定では、歌唱効果の掛け具合を利用して判定することも可能である。評価処理（Ｓ１０４）で判定された歌唱効果の掛け具合が、オリジナル歌唱効果情報で規定する歌唱効果の掛け具合に所定範囲において一致していた場合には、歌唱効果が付与されたことと判定することで、よりオリジナル歌手に近い歌唱効果を行った否かを判定することが可能となる。
【００４２】
オリジナル歌唱効果情報中に規定する開始時間、終了時間に対応する期間中、オリジナル歌唱効果情報中に規定する効果種別に対応する歌唱効果が付与された場合（Ｓ２０３：Ｙｅｓ）には、オリジナル歌唱効果区間１２２に対してエフェクト表示を行う。図８には、本実施形態に係る歌詞表示画面（色替え後：エフェクト表示有り）が示されている。本実施形態では、表示していたオリジナル歌唱効果区間１２２上に星型のエフェクト１２３を重畳させた形態となっている。エフェクト表示としては、このように表示中のオリジナル歌唱効果区間１２２にエフェクト１２３を追加表示する形態のみならず、表示しているオリジナル歌唱効果区間１２２を変形する等、各種形態を採用することが可能となる。ユーザーは、エフェクト表示されたことに基づき、付与すべき歌唱効果が付与できたことを確認することが可能である。
【００４３】
一方、オリジナル歌唱効果情報中に規定する開始時間、終了時間に対応する期間中、オリジナル歌唱効果情報中に規定する効果種別に対応する歌唱効果が付与されなかった場合（Ｓ２０３：Ｎｏ）には、オリジナル歌唱効果区間１２２を消去する（Ｓ２０５）。図９には、本実施形態に係る歌詞表示画面（色替え後：オリジナル歌唱効果表示消去）が示されている。図９には、表示されていたオリジナル歌唱効果区間１２２を破線で示している（実際には、消去されている。）。ユーザーは、歌唱前には表示されていたオリジナル歌唱効果区間１２２が、ユーザーの歌唱によって消去されたことに基づき、付与すべき歌唱効果が付与できなかったこと、つまりオリジナルと同じような歌唱ができなかったことを確認することが可能である。
【００４４】
歌詞文字情報で規定されるブロックの消去タイミングが到来した場合（Ｓ２０６：Ｙｅｓ）には、ブロックに対応する歌詞文字、オリジナル歌唱効果区間１２２を消去する（Ｓ２０７）。演奏処理の期間中、演奏処理の進行に同期してＳ２０１〜Ｓ２０７を繰り返して実行することで、歌唱すべき歌詞、及び、歌唱効果を付与すべき歌詞文字を歌唱するユーザーに対して教示することが可能となる。特に、本実施形態では、表示されたオリジナル歌唱効果区間１２２の表示形態を、評価処理（Ｓ１０４）に基づいて変更することで、ユーザーは楽曲のカラオケ演奏を行ないながら、自身の歌唱に対して、付与すべき歌唱効果が、付与すべき区間で、付与できたか否かを確認することが可能である。
【００４５】
図１０には、他の実施形態に係る表示処理を示すフロー図が示されている。本実施形態では、オリジナル効果区間において、指定されている歌唱効果が付与できたか否かのみならず、歌唱するユーザーが随時、付与した歌唱効果を視覚的に視認可能としている。図１０のフロー図は、臨時歌唱効果付与の判定（Ｓ２１３）と、臨時歌唱効果アイコンの表示（Ｓ２１７）において、図５の表示処理と異なっている。ここでは、これら異なる点についてのみ説明する。本実施形態では、評価処理（Ｓ１０４）において、随時、マイクロホンから入力される歌唱音声信号について歌唱効果の判定を行う。臨時歌唱効果とは、オリジナル歌唱効果区間で付与する歌唱効果以外の歌唱効果のことをいう。臨時歌唱効果が付与されたことを判定した場合（Ｓ２１３：Ｙｅｓ）には、臨時効果が付与されたタイミングに対応する歌詞文字１２１の位置に臨時歌唱効果アイコン１２４を表示する（Ｓ２１７）。
【００４６】
図１１には、他の実施形態に係る歌詞表示画面（色替え途中）が示されている。図７で説明した歌詞表示画面と同じ状態であり、臨時歌唱効果アイコン１２４を表示させている点において異なっている。歌詞表示画面には、歌詞文字１２１が表示され、歌唱効果を付与すべき歌詞文字（歌詞文字「ている〜」）に対応する位置には、オリジナル歌唱効果区間１２２が表示されている。歌唱タイミング位置Ａ（実際には表示されない）は、歌詞文字「る」の位置であって、歌詞文字の表示形態（この場合、色）が変更されつつある状態が示されている。すなわち、「あの坂道で待っている」までは、歌唱が終了した状態であることを示している。
【００４７】
本実施形態では、ビブラート、フォール、しゃくりの３種類の歌唱効果を判定することが可能であって、各歌唱効果に対応して臨時歌唱効果アイコン１２４が用意されている。図に示される状態は、歌詞文字「の」の上方にビブラートの臨時歌唱効果アイコン１２４が表示され、歌詞文字「の」を歌唱した際に歌唱効果としてビブラートが付与されたことが確認できる。また、歌詞文字「で」の上方にフォールの臨時歌唱効果アイコン１２４が表示され、歌詞文字「で」を歌唱した際に歌唱効果としてフォール（音程の下降）が付与されたことが確認できる。また、歌詞文字「い」の上方にしゃくりの臨時歌唱効果アイコン１２４が表示され、歌詞文字「い」を歌唱した際に歌唱効果としてしゃくり（音程の上昇）が付与されたことが確認できる。
【００４８】
このように、本実施形態では、評価処理（Ｓ１０４）の評価結果に応じて、臨時歌唱効果アイコン１２４を表示することで、オリジナル歌唱効果区間で規定する歌唱効果以外にユーザーが付与した歌唱効果を視覚的に確認することが可能となる。なお、図１１の例において、歌詞文字「ている〜」に歌唱効果としてビブラートが付与された場合には、オリジナル歌唱効果区間で規定する歌唱効果であるため、臨時歌唱効果アイコン１２４は表示されない（オリジナル歌唱効果としての扱いとなる）。このように本実施形態では、本来付与すべきであるオリジナル歌唱効果と、ユーザーが任意に付与した歌唱効果とを異なる表示形態で表示し、ユーザーに教示することが可能となる。
【００４９】
図１０、図１１で説明する実施形態における評価処理（Ｓ１０４）においても、付与した歌唱効果の回数、状態等に基づいて歌唱評価を行うことが可能である。本実施形態では、本来付与すべきオリジナル歌唱効果と、ユーザーが任意に付与した臨時歌唱効果を扱うこととしているが、評価処理において採点等、数値的な評価を行う場合、オリジナル歌唱効果と臨時歌唱効果とは、評価の重みを変更することとしてもよい。同じように歌唱効果が付与された場合、当該歌唱効果がオリジナル歌唱効果区間である場合には、評価の重みを臨時歌唱効果の場合と比較して大きくすることが考えられる。歌唱評価の一つの評価手法としては、オリジナル歌手の歌い方に近いことがあげられる。このようにオリジナル歌唱効果が適切に付与されたことに基づいて歌唱評価することで、オリジナル歌手の歌い方に近いか否かを判定することが可能となる。
【符号の説明】
【００５０】
１…カラオケ装置                            １６…ＲＯＭ
１０…操作パネル                            １７…通信部
１１…映像処理部                            １８…音響処理部
１２…ディスプレイ（表示部）                １２１…歌詞文字
１３…ＨＤＤ（ハードディスク）              １２２…オリジナル歌唱効果区間
１４…ＣＰＵ                                １２３…エフェクト
１５…ＲＡＭ                                １２４…臨時歌唱効果アイコン
【図１】
2015194560.tif 000003
【図２】
2015194560.tif 000004
【図３】
2015194560.tif 000005
【図４】
2015194560.tif 000006
【図５】
2015194560.tif 000007
【図６】
2015194560.tif 000008
【図７】
2015194560.tif 000009
【図８】
2015194560.tif 000010
【図９】
2015194560.tif 000011
【図１０】
2015194560.tif 000012
【図１１】
2015194560.tif 000013